(57)【特許請求の範囲】
【請求項１】
ファン６およびファン駆動用のモータ７と、ヒータ９と、イオンを生成するイオン発生部１５と、これらを収容し、前端に吹出口１１、後端に吸込口１０が形成される筒状の本体ケース１と、本体ケース１の吹出口１１に着脱自在に装着されるノズル３３とを備えるヘアードライヤーであって、
イオン発生部１５が、ファン６で生起した空気流のほぼ中央に位置するよう保持されており、
ノズル３３は、ノズル本体３４と、その中央に形成される案内通路３８とを含み、
ノズル３３を吹出口１１に装着した状態において、イオン発生部１５にて生成されたイオンは、案内通路３８で移行案内されることを特徴とするヘアードライヤー。
【請求項２】
イオン発生部１５と案内通路３８間に、イオンを移行案内するイオン通路２１を設けたことを特徴とする請求項１に記載のヘアードライヤー。
【請求項３】
ノズル３３は、透明材で形成されるノズル本体３４と、その中央に配設される通路筒２９とを含み、
通路筒２９は、イオン発生部１５にて生成されたイオンの案内通路３８となっており、
ノズル３３を吹出口１１に装着した状態において、イオン発生部１５にて生成されたイオンは、案内通路３８で移行案内されることを特徴とする請求項１または２に記載のヘアードライヤー。
【請求項４】
ノズル３３は、ノズル本体３４と、その中央に配設される保持ボス３７と、保持ボス３７の中空内部に装填される通路筒２９と、通路筒２９と保持ボス３７との間に配設される装飾シート４６とを含み、
ノズル本体３４と保持ボス３７とが透明材にて形成され、装飾シート４６を見通すことができるようになっており、
通路筒２９は、イオン発生部１５にて生成されたイオンの案内通路３８となっており、
ノズル３３を吹出口１１に装着した状態において、イオン発生部１５にて生成されたイオンは、案内通路３８で移行案内されることを特徴とする請求項１または２または３に記載のヘアードライヤー。
【発明の詳細な説明】
【技術分野】
【０００１】
この発明は、イオンを発生させるための手段を備えたヘアードライヤーに関する。
【背景技術】
【０００２】
この種のヘアードライヤーは、実用新案登録第２５３４８５６号公報に公知である。そこでは、ケース本体内の風洞部にイオン電極とオゾン電極とを隣接して配置し、両電極間に高電圧のパルス電流を印加することによりマイナスイオンを発生させ、ファンから送出されて来る空気流でマイナスイオンを毛髪に吹き付けるようになっている。
【０００３】
【特許文献１】実用新案登録第２５３４８５６号公報
【発明の開示】
【発明が解決しようとする課題】
【０００４】
上記のヘアードライヤによれば、イオンを毛髪（送給対象物）へ吹き付けることができる。しかし、十分な量のイオンを毛髪に吹き付けることができる訳ではない。ヘアードライヤにおいては、イオン生成電極がケース内においてファンから送出されて旋回する空気流に晒されている。そのため、生成されたイオンが旋回する空気流の中に拡散し、分布密度が低下するのを避けられない。さらに空気流の中に薄く拡散したイオンは、イオン生成電極と吹出口との間の送風通路表面と接触し中和されて消失する。
【０００５】
本発明の目的は、ノズル吹出口から吹き出される空気流のほぼ中心にイオンの流れを形成することにより、ノズル吹出口から吹き出される空気流におけるイオンの減耗を低下できるヘアードライヤーを提供することにある。この発明の目的は、イオン発生部で生成したイオンが送風経路で消滅するのを防止して、より効果的にイオンを対象物（毛髪）へ吹き付けることができるヘアードライヤーを提供することにある。
【課題を解決するための手段】
【０００６】
本発明のヘアードライヤーは、ファン６およびファン駆動用のモータ７と、ヒータ９と、イオンを生成するイオン発生部１５と、これらを収容し、前端に吹出口１１、後端に吸込口１０が形成される筒状の本体ケース１と、本体ケース１の吹出口１１に着脱自在に装着されるノズル３３とを備えるヘアードライヤーであって、イオン発生部１５が、ファン６で生起した空気流のほぼ中央に位置するよう保持されており、ノズル３３は、ノズル本体３４と、その中央に形成される案内通路３８とを含み、ノズル３３を吹出口１１に装着した状態において、イオン発生部１５にて生成されたイオンは、案内通路３８で移行案内されるものである。
【０００７】
また、イオン発生部１５と案内通路３８間に、イオンを移行案内するイオン通路２１を設けたものである。
【０００８】
また、ノズル３３は、透明材で形成されるノズル本体３４と、その中央に配設される通路筒２９とを含み、通路筒２９は、イオン発生部１５にて生成されたイオンの案内通路３８となっており、ノズル３３を吹出口１１に装着した状態において、イオン発生部１５にて生成されたイオンは、案内通路３８で移行案内されるものである。
【０００９】
また、ノズル３３は、ノズル本体３４と、その中央に配設される保持ボス３７と、保持ボス３７の中空内部に装填される通路筒２９と、通路筒２９と保持ボス３７との間に配設される装飾シート４６とを含み、ノズル本体３４と保持ボス３７とが透明材にて形成され、装飾シート４６を見通すことができるようになっており、通路筒２９は、イオン発生部１５にて生成されたイオンの案内通路３８となっており、ノズル３３を吹出口１１に装着した状態において、イオン発生部１５にて生成されたイオンは、案内通路３８で移行案内されるものである。
【発明の効果】
【００１０】
本発明のヘアードライヤーにおいては、イオン発生部１５にて生成されたイオンを、案内通路３８にて移行案内できることにより、イオンがノズル内部を通過する外側の空気流の中に拡散するのを防止できるうえ、イオンの流れの周囲をノズル３３の吹出口から吹き出される空気流で包み込んで送給できるので、ヘアードライヤに適用すると、イオンを毛髪に対して分布密度が高い状態で送給でき、効果的に毛髪を電気的に中和でき、さらに毛髪の内部深くまで水分を浸透させ、その水分率を高めて毛髪の状態を好適化できる。（請求項１）
【００１１】
イオン発生部１５と案内通路３８間に、イオンを移行案内するイオン通路２１を設けたことにより、本体内での拡散をよく防止でき、より一層イオンを毛髪に対して分布密度が高い状態で送給できる。（請求項２）
【００１２】
ノズル本体３４を透明にすることにより、ノズル３３のデザイン効果を向上できる。（請求項３）
【００１３】
ノズル本体３４と保持ボス３７を透明にすることにより、ノズル本体３４と保持ボス３７を透して装飾シート４６を見通すことができ、さらにノズル３３のデザイン効果を向上できる。（請求項４)
【発明を実施するための最良の形態】
【００１４】
図１ないし図７は、この発明をハンドル２を備えるヘアードライヤーに適用した実施例を示す。図２においてヘアードライヤーは、横長筒状の本体ケース１と、その下面一側に設けられるハンドル２とを基体にして、これらの内部に送風ユニットや、制御用の電気部品等を収容してなる。本体ケース１の先端側には、ファン６で生起した空気流を流動案内する風導体１Ａが装着してある。ハンドル２の前面および後面には、風量制御とヒータースイッチとを兼ねる電源スイッチノブ３と、イオン発生部１５への通電をオン・オフするイオンスイッチノブ４とが設けてある。ハンドル２の内部には、先のスイッチノブ３・４で切り換え操作されるスイッチが収容してある。想像線で示すように、ハンドル２は本体ケース１に対して折り畳み可能に連結されている。
【００１５】
送風ユニットは、図２に示すごとくモータケース５と、モータケース５に組み付けられるファン６およびモータ７と、十文字状に組まれた絶縁枠８に螺旋状に巻き付けられるヒーター９などで構成する。ファン６は一方向へ回転駆動されて、本体ケース１の後端の吸込口１０から吸い込んだ空気を加圧して前端に装着した風導体１Ａの吹出口１１から吹き出す。このとき、ヒータ９を通電していれば、温風が吹き出る。風導体１Ａはポリカーボネイト製の成形品からなる。
【００１６】
ヘアードライヤーにはマイナスイオンを生成するためのイオン生成手段が組み込んである。そのイオン生成手段としては、図２に示すごとく整流回路およびパルス発生回路が実装された回路基板１３と、昇圧用のトランス１４と、イオン発生部１５などで構成されており、前二者１３・１４は、ヒーター９用の絶縁枠８を切り欠いて形成した空間に配置されており、イオン発生部１５は風導体１Ａの内部に組み込まれている。
【００１７】
図３において風導体１Ａの内部には、整流筒１７と吹出グリル１８とを組み込んであり、整流筒１７を利用して先のイオン発生部１５が、ファン６で生起した空気流のほぼ中央に位置するよう保持されている。整流筒１７は、断面円形の筒壁１９と、その内部前端に放射状に設けた整流翼２０と、筒壁１９の中央に設けたイオン通路２１とを一体に形成したポリカーボネイト製のプラスチック成形品からなる。図５において吹出グリル１８は、同心円状の円弧リブ１８ａと、長短２種の放射状の直線リブ１８ｂとを備えたプレス成形品からなる。吹出グリル１８を風導体１Ａの内部に嵌め込んだ後、整流筒１７を風導体１Ａに内嵌固定することにより、これら三者を１個のユニット部品として取り扱うことができる。図６の組み付け状態における整流筒１７の整流翼２０と、長寸の直線リブ１８ｂとは、前後に重なるようにしてあり、これによってファン６で生起された空気流と、整流翼２０で整流した後の直線状の空気流とが、直線リブ１８ｂによって乱されるのを防いでいる。
【００１８】
図３においてイオン通路２１は、先すぼまりテーパ状の第１筒部２３と第１筒部２３の前方の小径端に連続して前方へ突出する第２筒部２４とからなり、第１筒部２３の内部にイオン発生部１５を組み込んである。第２筒部２４の前端は、風導体１Ａの吹出口１１の中央に位置する状態で吹出口１１の開口面より前方外側へ突出している。従って、吹出口１１が床面と対向する状態でヘアードライヤーを載置したような場合にも、第２筒部２４が床面と接当して、吹出口１１と床面との間に隙間を形成することができる。図１の符号４０はイオン通路２１の入口、４１はイオン通路２１の出口である。第２筒部２４におけるイオン通路２１の断面積は、風導体１Ａにおける空気流の通路断面積に比べて充分に小さい。そのため、たとえ第２筒部２４がプラスに帯電していたとしても、ごく短い時間で帯電状態を中和でき、従ってより多くのマイナスイオンを送給できることになる。後述するノズル本体３４と通路筒２９との関係においても、同様の理由でマイナスイオンを効果的に送給できる。因みに、この実施例においては、第２筒部２４におけるイオン通路２１の直径寸法を９mmとするとき、整流筒１７の内面の直径寸法を５３mmとした。
【００１９】
図３および図５においてイオン発生部１５は、電極ホルダー２５と、電極ホルダー２５の中央部に固定される針状電極２６と、針状電極２６の周りを囲む周囲電極２７と、針状電極２６と周囲電極２７との間の空間を区分する絶縁筒２８とで構成されている。電極ホルダー２５は、ボス部３０と、ボス部３０の周面に設けた放射状の保持腕３１とを一体に形成したプラスチック成形品からなり、耐オゾン性と耐熱性とを有し、しかも絶縁性に優れたプラスチック、例えばポリフェニレンサルファイド（ＰＰＳ）で成形する。保持腕３１を先の第１筒部２３の内面に設けた凹部２３ａ（図５参照）に嵌め込み固定することにより、電極ホルダー２５を整流筒１７と一体化できる。
【００２０】
ボス部３０の軸中心には針状電極２６を固定し、ボス部３０の周面に周囲電極２７を同心円状に装着してあり、この装着状態において両電極２６・２７の前端は同一平面状に位置する。絶縁筒２８は雲母、ガラス、セラミックスなどの高度の絶縁特性を備えた素材で円筒状に形成する。絶縁筒２８をボス部３０の前端の凹部に内嵌固定した状態において、絶縁筒２８の前端は針状電極２６と周囲電極２７の前端より前方へ大きく突出するように設けられており、第１筒部２３の前端に臨んでいる。このように絶縁筒２８が前方に大きく突出していると、針状電極２６と周囲電極２７とでスパークが生じるのを防いで、効果的にマイナスイオンを生成できる。図３に示すように針状電極２６および周囲電極２７とトランス１４とは、それぞれリード線で接続するが、リード線が半田付けされた個所の間でスパークが生じるのを防ぐために、針状電極２６とリード線とは、ボス部３０の後ろ側の凹部に充填した絶縁性の接着剤３２で封入してある。
【００２１】
図８にマイナスイオンを発生するための電気回路の概略を示している。そこでは、商用電源（１００Ｖ）からの電流を整流回路で半波整流したうえで、パルス発生回路でパルス電流に変換する。ついでパルス電流をトランス１４で昇圧して、例えば４Ｋｖに昇圧した高電圧を針状電極２６に印加し、同針状電極２６から周囲電極２７に向けて電子を放出させる。これによって、空気中の酸素、微少水滴、塵等がマイナスに帯電してマイナスイオン化する。なお、図８におけるダイオードは、針状電極２６に負の出力のみを得るため設けたものであるが、省略することができる。その場合には、プラスイオンとマイナスイオンとが交互に生成される。
【００２２】
ヘアードライヤーでは、図１に示すように、必要に応じて風導体１Ａの前端側すなわち吹出口１１にノズル３３を付加して使用することがある。そのノズル３３は、先すぼまり円筒状（先広がりでもよい）のノズル本体３４と、ノズル本体３４の内面に装着される内筒３５とからなり、本体ケース１側の吹出口１１に着脱自在に装着されている。内筒３５の内部には、木の葉形の整流翼３６を設け、その中央部に前後向きの保持ボス３７が一体に設けてあり、この保持ボス３７の中空内部に、通路筒２９を装填して前後方向に走る案内通路３８が設けられている。案内通路３８の断面積は、ノズル本体３４における空気流の通路断面積に比べて充分に小さい。そのため、イオン通路２１において述べたのと同様に、たとえ通路筒２９がプラスに帯電していたとしても、ごく短い時間で帯電状態を中和でき、従ってより多くのマイナスイオンを送給できることになる。
【００２３】
図１に示すように、ノズル３３を風導体１Ａの吹出口１１に装着した状態において、案内通路３８の後端開口面はイオン通路２１の出口４１に隣接する状態で設けてあり、イオン通路２１から出たマイナスイオンをノズル３３の前端の吹出口３９の開口面へ移行案内する。ノズル本体３４、内筒３５、通路筒２９は、それぞれポリカーボネイト製の成形品からなる。なお、ノズル本体３４と内筒３５のそれぞれを、透明ないし半透明のプラスチック材で成形し、通路筒２９と透明な保持ボス３７との間に光沢に富む装飾シート４６を装填しておくと、保持ボス３７を透かして装飾シート４６を見通すことができるので、ノズル３３のデザイン効果を向上できる。
【００２４】
以上のように構成したヘアードライヤーによれば、イオン発生部１５で生成したマイナスイオンは、イオン通路２１内に封じ込んだ状態で吹出口１１まで供給できるので、マイナスイオンがイオン発生部１５と吹出口１１との間の風導部を通過する主たる空気流の中に拡散してその分布密度が低下するの防止でき、マイナスイオンが風導部内に組み込まれたケースや吹出グリル１８などの部品の表面と接触して電気的に中和することも確実に防止できる。さらに、イオン通路２１の出口４１が吹出口１１の中央に位置し、しかも吹出口１１の開口面より前方に突出しているので、イオン通路２１の出口４１から放出されたマイナスイオンは、吹出口１１から吹き出される空気流の中心に包まれて毛髪へ到達できる。吹出口１１の直前に整流翼２０を設けて、吹出口１１から吹き出される主たる空気の
流れが旋回するのを抑止できるので、イオン通路２１から出たマイナスイオンが主たる空気流の中に拡散するのをよく防止でき、この点でもマイナスイオンの毛髪への到達量が向上する。マイナスイオンによって、毛髪の内部深くまで水分を浸透させ、その水分率を高めて毛髪の状態を好適化できる。
【００２５】
風導体１Ａの吹出口１１にノズル３３を接続して使用する場合には、イオン通路２１の出口４１から出たマイナスイオンは、ノズル３３内の案内通路３８でノズル３３の吹出口３９へ移行案内できるので、マイナスイオンがノズル内部を通過する主たる空気流の中に拡散するのを防止できるうえ、マイナスイオンの流れの周囲を吹出口３９から吹き出される空気流で包み込んで送給できるので、マイナスイオンを毛髪に対して分布密度が高い状態で効果的に送給することができる。なお、この実施例のヘアードライヤーにおいては、マイナスイオンを送給対象としたが、イオンの発生と同時に生成されるオゾンを送給対象とする場合にも、以上に述べた作用効果を同様に発揮できる。但し、オゾンは脱臭等を目的として送給する。なお、マイナスイオンを送給する第１筒部２３、第２筒部２４、通路筒２９は、それぞれの帯電列が他の通路構成部材に比べて下位（マイナス寄り）の素材を用いて形成することが好ましい。このように帯電列を考慮して素材を選定すると、使用時には、先の筒部材２３、２４、３９と他の通路構成部材との結合部での接触摩擦によって、通路構成部材がマイナスに帯電するので、通路構成部材に沿って流動するマイナスイオンが通路壁に吸着されるのを防止でき、送給経路途中におけるマイナスイオンの減耗を減らすことができるからである。
【００２６】
以下、図９から図１３は本発明の別実施例を示す。なお、個々の別実施例においては、先の実施例と大きく異なる点のみを説明し、先の実施例と同じ部材には同じ符号を付してその説明を省略する。図９のヘアードライヤーにおいては、イオン通路２１を前後方向に走る直管状に形成する点と、風導体１Ａにノズル３３を外嵌装着する点が先の実施例と異なる。イオン通路２１の内部には、先の実施例と同様にイオン発生部１５が組み込まれている。
【００２７】
図１０においては、イオン通路２１を風導体１Ａの筒壁１９の内面１個所に偏寄する状態で区画配置して、イオン通路２１に流入する空気流量がより多くなるようにした。イオン通路２１に連続して、先の実施例の案内通路３８に相当する通路４３を筒壁１９と一体に設ける。この場合のマイナスイオンを含む空気の流れは、主たる空気流の周辺部に形成されるので、毛髪へ到達する間のマイナスイオンの減耗が若干ある。しかし、マイナスイオンを含む空気の流れに強い勢いがあるので、頭皮に近い側の毛髪にまでマイナスイオンを吹き付けることができる。なお、必要に応じてイオン通路２１を通路４３とは一体に成形してもよい。
【００２８】
図１１においては、イオン通路２１の入口４０を、図１０のイオン通路２１と同様に風導体１Ａの筒壁１９の内面１個所に偏寄させて配置するが、イオン通路２１は屈曲させて、その出口４１が吹出口１１の中央部に位置するようにした。
【００２９】
図１２においては、本体ケース１の外面上部から吹出口１１にわたって鉤形のイオン通路２１を配置し、その入口４０の近傍にイオン発生部１５を設けた。イオン発生部１５は、イオン通路２１の内面に固定したリング状の周囲電極２７と、周囲電極２７の中心軸線上で、周囲電極２７の開口面から離れ対置に配置した針状電極２６とで構成して、イオン風を効果的に発生できるようにする。この実施例においては、ファン６で生起した空気流を利用してマイナスイオンを移行させるのではなく、コロナ放電に伴って発生するイオン風の送出作用のみでマイナスイオンを出口４１へと送給する。イオン通路２１の出口４１は、図１に示す実施例と同様に本体ケース１の吹出口１１の中央部に配置してある。
【００３０】
図１３はこの発明をヘアブロッサーに適用した実施例を示す。そこでは、直線筒状の本体ケース１の内部にファン６、モータ７、ヒーター９などを収容している。本体ケース１の右側の後端には吸込口１０が設けられ、左側の前端の吹出口１１に、アタッチメントとして選択使用されるブラシ体４５が着脱可能に装着される。ブラシ体４５には、本体ケース１との接続口の内部に風導体１Ａを組み付け、その内部にイオン通路２１とイオン発生部１５とを設けてある。ブラシ体４５の内部の風導部にはイオン通路２１に連続する案内通路３８を設け、その出口４６が、一群の小孔から成るブラシ体４５の吹出口４７の中央部に臨んでいる。本体ケース１の上面には電源スイッチ３とイオンスイッチ４とを設けてある。本発明におけるノズル３３の概念は、本実施例のようなヘアブロッサー用のアタッチメントも含むものとする。
【００３１】
上記以外に、イオン発生部１５とイオン通路２１とは、吹出口１１に着脱自在に装着されるノズル３３の内部に設けることができ、本体ケース１が左右二つ割り構造にしてある場合には、本体ケース１の内部にイオン発生部１５とイオン通路２１とを直接に組み付けることができる。イオン通路２１は弾性変形可能なチューブで形成することができる。マイナスイオンは、イオン発生部１５に設けた専用の送風ファンで送給してもよい。イオン発生部１５は、マイカ、セラミック等からなる板状の絶縁体（誘電体）の表と裏とに放電電極と誘導電極を配置した沿面放電型の構造や、２個の針状電極を対向配置した電極構造などに変更でき、イオンの発生が可能であればその構造は何ら限定しない。
【００３２】
風導体１Ａは本体ケース１と一体に成形することができる。その場合には、整流筒１７やイオン発生部１５を、本体ケース１に対してその吸込口１０の側から組み込んだ後、絶縁枠８、ヒーター９、回路基板１３、トランス１４を本体ケース１に組むとよい。ノズル３３を併用する場合には、周面に外気取り入れ用の開口が設けてあるノズル本体３４を用いてもよい。その場合には、ファン６で生起した空気流によるエジェクター作用によって、前記開口部から外気をノズル３３内に導入し、ノズル３３内を通過する温風に湿気を含む外気を混ぜた状態で送給できるので、温風のみを吹き付ける場合に比べて、毛髪のダメージを減少できる。なお、実施例においては、マイナスイオンを送給する場合について説明したが、送給対象はプラスイオンであってもよく、その場合にも送給経路途中におけるプラスイオンの減耗をよく防止して、効果的に送給できる。プラスイオンを生成する際には、図８におけるダイオードを左右に反転した状態で接続する。
【図面の簡単な説明】
【００３３】
【図１】イオン発生装置の要部の縦断側面図である。
【図２】全体の縦断側面図である。
【図３】イオン発生部とイオン通路とを示す縦断側面図である。
【図４】風導体およびノズルの分解斜視図である。
【図５】整流筒とイオン発生部との関係構造を示す分解斜視図である。
【図６】図３におけるＡ−Ａ線断面図である。
【図７】ノズルの正面図である。
【図８】イオン発生回路の概略を示す説明図である
【図９】イオン発生部の第１の別実施例を示す縦断側面図である。
【図１０】イオン発生部の第２の別実施例を示す縦断側面図である。
【図１１】イオン発生部の第３の別実施例を示す縦断側面図である。
【図１２】イオン発生部の第４の別実施例を示す縦断側面図である。
【図１３】この発明をヘアーブロッサーに適用した別実施例を示す縦断側面図と側面図である。
【符号の説明】
【００３４】
１  本体ケース
１Ａ  風導体
６  ファン
７  モータ
９  ヒーター
１１  吹出口
１５  イオン発生部
２０  整流翼
２１  イオン通路
２５  電極ホルダー
２６  針状電極
２７  周囲電極
２８  絶縁筒
３３  ノズル
３８  案内通路
３９  吹出口
４０  入口
４１  出口
【図１】
0003626172.tif 000002
【図２】
0003626172.tif 000003
【図３】
0003626172.tif 000004
【図４】
0003626172.tif 000005
【図５】
0003626172.tif 000006
【図６】
0003626172.tif 000007
【図７】
0003626172.tif 000008
【図８】
0003626172.tif 000009
【図９】
0003626172.tif 000010
【図１０】
0003626172.tif 000011
【図１１】
0003626172.tif 000012
【図１２】
0003626172.tif 000013
【図１３】
0003626172.tif 000014